(57)【要約】【課題】必要に応じて容量を大きくすることができる可変容量式ごみ箱を提供する。【解決手段】可変容量式ごみ箱１０は、容器１２と、容器１２の外周を囲い、昇降可能に設けられた枠体１６と、枠体１６を押し上げるガススプリング２０と、ガススプリング２０が発生する力に抗して枠体１６を下降した位置に保持する保持部と、を備える。【選択図】図１
0003230107.tif 000002
【実用新案登録請求の範囲】
【請求項１】
容器と、
前記容器の外周を囲い、昇降可能に設けられた枠体と、
前記枠体を押し上げるガススプリングと、
前記ガススプリングが発生する力に抗して前記枠体を下降した位置に保持する保持部と、を備えた可変容量式ごみ箱。
【請求項２】
請求項１記載の可変容量式ごみ箱において、
前記容器の底面にキャスターを更に備えた可変容量式ごみ箱。
【請求項３】
請求項１記載の可変容量式ごみ箱において、
前記容器及び前記枠体の材質が、それぞれアルミニウムである可変容量式ごみ箱。
【請求項４】
請求項２又は３記載の可変容量式ごみ箱において、
前記保持部が、スナッチロックであり、
前記枠体の側面に、前記スナッチロックを解除する解除バー又はフットペダルを更に備えた可変容量式ごみ箱。
【考案の詳細な説明】
【技術分野】
【０００１】
本考案は、可変容量式ごみ箱に関する。
【背景技術】
【０００２】
特許文献１には、ごみ箱内において比較的重いごみを大量に充満された重い収納袋を、ごみ箱から容易に取出すことができる複数段伸縮式ごみ箱が記載されている。この複数段伸縮式ごみ箱は、入れ子式に順次挿通連結される倒立台形の複数段の分割ケースからなる伸縮式ごみ箱であって、最下段の分割ケースは、フランジを形成した底面を有し、最下段および中間段の分割ケースは、各分割ケースの伸長時にそれぞれの上段分割ケースを伸長位置に固定保持する係止手段を有することを特徴としている。
【先行技術文献】
【特許文献】
【０００３】
【特許文献１】特開平１０−３２９９０１号公報
【考案の概要】
【考案が解決しようとする課題】
【０００４】
本考案は、必要に応じて容量を大きくすることができる可変容量式ごみ箱を提供することを目的とする。
【課題を解決するための手段】
【０００５】
請求項１に記載の考案は、容器と、前記容器の外周を囲い、昇降可能に設けられた枠体と、前記枠体を押し上げるガススプリングと、前記ガススプリングが発生する力に抗して前記枠体を下降した位置に保持する保持部と、を備えた可変容量式ごみ箱である。
【０００６】
請求項２に記載の考案は、請求項１記載の可変容量式ごみ箱において、前記容器の底面にキャスターを更に備える。
【０００７】
請求項３に記載の考案は、請求項１記載の可変容量式ごみ箱において、前記容器及び前記枠体の材質が、それぞれアルミニウムである。
【０００８】
請求項４に記載の考案は、請求項２又は３記載の可変容量式ごみ箱において、前記保持部が、スナッチロックであり、前記枠体の側面に、前記スナッチロックを解除する解除バー又はフットペダルを更に備える。
【考案の効果】
【０００９】
本考案によれば、必要に応じて容量を大きくすることができる可変容量式ごみ箱を提供できる。
【図面の簡単な説明】
【００１０】
【図１】本考案の一実施の形態に係る可変容量式ごみ箱の外観図である。
【図２】容量が増加した同可変容量式ごみ箱の外観図である。
【考案を実施するための形態】
【００１１】
続いて、添付した図面を参照しつつ、本考案を具体化した実施の形態につき説明し、本考案の理解に供する。なお、図において、説明に関連しない部分は図示を省略する場合がある。
【００１２】
本考案の一実施の形態に係る可変容量式ごみ箱１０は、図１及び図２に示すように、必要に応じて容量を大きくすることができる。
可変容量式ごみ箱１０は、容器１２、キャスター１４、枠体１６、蓋部１８、ガススプリング２０、スナッチロック２２及び解除バー２４を備えている。
【００１３】
容器１２は、内部にごみが収容される。
容器１２の形状は、例えば底部を有する角筒状であり、その材質は例えばアルミニウムである。
容器１２の両側面の外側には、それぞれ、上下方向に延びる一組の案内レール１２２が設けられている。
【００１４】
キャスター１４は、容器１２の底部に合計４つ設けられている。
キャスター１４が設けられていることにより、可変容量式ごみ箱１０の移動が容易となる。
【００１５】
枠体１６は、容器１２の下部を除く外周を囲う角筒状の部材であり、その材質は例えばアルミニウムである。
枠体１６の両側面の内側には、それぞれ、案内レール１２２に対応する一組の被案内部材１６２が設けられ、枠体１６は案内レール１２２に沿って昇降できる。
枠体１６の両側面の外側には、それぞれ抗菌仕様の取手１６４が設けられている。
【００１６】
蓋部１８は、枠体１６の上部を覆う蓋であり、内部を密閉することができる。
蓋部１８は、その上面に抗菌仕様の取手１８３が設けられ、前方向と後方向にそれぞれ開く両開きとなっている。
蓋部１８は、蝶番１８２を介して枠体１６に取り付けられている。
【００１７】
ガススプリング２０は、容器１２の案内レール１２２が設けられた面に取り付けられている。
ガススプリング２０は、それぞれ上下方向に延びるシリンダ２０２及びピストンロッド２０４を有し、ピストンロッド２０４が進出する方向に力を発生することにより、枠体１６を押し上げることができる。
シリンダ２０２は、容器１２の下端部に固定され、ピストンロッド２０４は、枠体１６の内側に固定されているため、ピストンロッド２０４が後退すると、枠体１６は下降し、反対に進出すると、枠体１６は上昇することとなる。
【００１８】
スナッチロック（保持部の一例）２２は、枠体１６の下端部に固定され、枠体１６が下降すると、容器１２の下部側面に設けられた受金具１２４を噛み込んで保持することができる。
なお、保持部はスナッチロック２２に限定されるものではない。
【００１９】
解除バー２４は、上下方向に延びる棒状の部材であり、スナッチロック２２を解除できる。解除バー２４が押し下げられると、スナッチロック２２が、噛み込んだ受金具１２４を解放する。
なお、解除バー２４に代えてフットペダルとし、フットペダルが踏まれると、スナッチロック２２が、噛み込んだ受金具１２４を解放するように構成してもよい。
【００２０】
次に、可変容量式ごみ箱１０の動作について説明する。
枠体１６が下降した状態にある場合には、スナッチロック２２が受金具１２４を噛み込むことにより、ガススプリング２０が発生する枠体１６を押し上げようとする力に抗して枠体１６を下降した位置に保持する。
この状態で解除バー２４を押し下げると、スナッチロック２２が噛み込んだ受金具１２４を解放し、ガススプリング２０の作用によって、枠体１６が上昇する。
従って、上昇した高さ分だけ可変容量式ごみ箱１０の容量が増加させることで、より多くのゴミを収容することができる。
【００２１】
枠体１６が上昇した状態にある場合には、枠体１６に対し、下方へと押し込む力を加えることによって、ガススプリング２０のピストンロッド２０４が後退するとともに枠体１６が案内レール１２２に沿って案内され、枠体１６が下降した位置にて、スナッチロック２２が受金具１２４を噛み込んで保持される。
【００２２】
以上説明したように、本実施の形態に係る可変容量式ごみ箱１０によれば、必要に応じて枠体１６を上昇させることによって、容量を大きくすることができる。
【００２３】
以上、本考案の実施の形態を説明したが、本考案は、上記した形態に限定されるものでなく、要旨を逸脱しない条件の変更等は全て本考案の適用範囲である。
【符号の説明】
【００２４】
１０  可変容量式ごみ箱
１２  容器
１４  キャスター
１６  枠体
１８  蓋部
２０  ガススプリング
２２  スナッチロック
２４  解除バー
１２２  案内レール
１２４  受金具
１６２  被案内部材
１６４  取手
１８２  蝶番
１８３  取手
２０２  シリンダ
２０４  ピストンロッド
【図１】
0003230107.tif 000003
【図２】
0003230107.tif 000004